(57)【特許請求の範囲】
【請求項１】
壁面に取り付け可能な棚枠部材と、収納物を下方から支持するために前記棚枠部材に取り付けられる棚部材とを備えている収納棚であって、
前記棚部材は、
より高位置の第１の姿勢で前記収納物を載置可能な第１の棚部と、
より低位置の第２の姿勢で前記収納物を載置可能な第２の棚部と、
当該棚部材の前記棚枠部材に対する取り付け状態を前記第１の姿勢又は第２の姿勢のいずれか一方に切換可能な棚取付部と、を有することを特徴とする収納棚。
【請求項２】
前記第１の棚部と前記第２の棚部とが互いに直角をなすように連結されており、
前記第１の姿勢において、前記第２の棚部が前記第１の棚部から上方向に延びるように縦向きに配置されることを特徴とする請求項１に記載の収納棚。
【請求項３】
前後一対の被係合部が、前記棚枠部材の下部に前後方向に間隔をあけて設けられ、
前記棚取付部が、後側の前記被係合部に着脱自在な後係合部と、前側の前記被係合部に着脱自在な前係合部とからなり、
前記後係合部が、前記第１の棚部の後側端部に形成され、かつ、前記前係合部が前記第１の棚部の前側端部に形成されていることを特徴とする請求項２に記載の収納棚。
【請求項４】
前記第２の姿勢において、前記第２の棚部の姿勢を前上がり傾斜状に設定する姿勢設定部が、前記棚部材に設けられていることを特徴とする請求項１〜３のいずれか１つに記載の収納棚。
【発明の詳細な説明】
【技術分野】
【０００１】
本発明は、例えばシステムキッチンに設置された有効高さの大きい引き出しの扉に取り付けて使用される収納棚に関する。
【背景技術】
【０００２】
システムキッチンにおいて、シンクの下方やガステーブルの下方には、鍋やフライパン等の比較的大きな調理器具を収納可能な有効高さの大きい引き出しが設けられている。下記特許文献１には、この引き出しの上下方向の寸法が大きいことを利用して、背の高い収納物を収納することができる収納ポケットを引き出し内部に設けることが開示されている。
【特許文献１】特開２００４−２９０４２０号公報
【発明の開示】
【発明が解決しようとする課題】
【０００３】
特許文献１記載の収納ポケットは、細長い食品包装フィルムの箱や、オタマやフライパン返し等の寸法の大きな調理器具を立てた状態で収めるのに好都合である。しかし、ユーザによっては調味料容器等の背の低い収納物を収納ポケットに収める場合もある。特許文献１記載の収納ポケットは、背の高い収納物を入れることを想定して低位置に設けられるため、背の低い収納物を収めると、出し入れのために腰を屈めなくてはならず、ユーザの負担が大きくなる。
【０００４】
背の低い収納物を出し入れし易くするため、収納ポケットを高い位置に取り付けることも考えられる。しかし、これでは、背の高い収納物を収めたときに収納物が引き出しから上方へ突出してしまい、扉を閉じることができなくなるという不都合が生じる。
【０００５】
本発明は、以上のような実情に鑑みてなされたものであり、収納物の背の高さに応じて収納棚の棚の高さを切り換えることができる収納棚を提供することを目的とする。
【課題を解決するための手段】
【０００６】
本発明は、壁面に取り付け可能な棚枠部材と、収納物を下方から支持するために前記棚枠部材に取り付けられる棚部材とを備えている収納棚であって、
前記棚部材は、
より高位置の第１の姿勢で前記収納物を載置可能な第１の棚部と、
より低位置の第２の姿勢で前記収納物を載置可能な第２の棚部と、
当該棚部材の前記棚枠部材に対する取り付け状態を前記第１の姿勢又は第２の姿勢のいずれか一方に切換可能な棚取付部と、を有することを特徴とする。
【０００７】
この構成によれば、収納棚に背の低い収納物を収納する場合には、棚枠部材に第１の姿勢で棚部材を取り付ける。これによって、より高い位置に第１の棚部が配置され、背の低い収納物の出し入れが容易となり、ユーザの負担を軽減することができる。また、収納棚に専ら背の高い収納物を収納する場合には、棚枠部材に第２の姿勢で棚部材を取り付ける。これによって、より低い位置に第２の棚部が配置される。そのため、例えば引き出し内に収納棚を設けた場合に、引き出しの開閉の邪魔となることなく背の高い収納物を収納することができる。
【０００８】
上記の構成において、前記第１の棚部と前記第２の棚部とが互いに直角をなすように連結されており、前記第１の姿勢において、前記第２の棚部は前記第１の棚部から上方向に延びるように縦向きに配置されることが好ましい。
この場合、第２の棚部は、第１の棚部から上方向に延びる壁として機能し、第１の棚部上に載置された収納物の移動（例えば、第１の棚部からの落下）を制限することが可能となる。
【０００９】
前後一対の被係合部が、前記棚枠部材の下部に前後方向に間隔をあけて設けられ、前記棚取付部が、後側の前記被係合部に着脱自在な後係合部と、前側の前記被係合部に着脱自在な前係合部とからなり、前記後係合部が、前記第１の棚部の後側端部に形成され、かつ、前記前係合部が前記第１の棚部の前側端部に形成されていることが好ましい。
この構成によれば、前後の係合部をそれぞれ前後の被係合部に係合させることによって、第１の姿勢で棚部材を棚枠部材に取り付けることができる。また、後側の被係合部に後係合部のみを係合させるか、又は前側の被係合部に前係合部のみを係合させることで、第１の姿勢に対して９０°回転した第２の姿勢で棚部材を棚枠部材に取り付けることができる。
【００１０】
前記第２の姿勢において前記第２の棚部の姿勢を前上がり傾斜状に設定する姿勢設定部が、前記棚部材に設けられていることが好ましい。これによって、第２の棚部に載置された収納物が後方へ傾きやすくなり、当該収納物が前方へ倒れるのを防止することができる。
【発明の効果】
【００１１】
本発明によれば、収納物の背の高さに応じて棚の高さ（深さ）を変更することができる。したがって、ユーザの用途に応じて利用しやすい収納棚を構成することができる。
【発明を実施するための最良の形態】
【００１２】
本発明の実施の形態を図面を参照して説明する。
図１は、本発明の実施の形態に係る収納棚１０の分解斜視図である。本実施の形態の収納棚１０は、システムキッチン等に設けられた有効高さの大きい引き出しの扉１１の内壁面に取り付けて使用される。なお、本明細書では、収納棚１０を正面から見たときの手前側を前側とし、扉１１に取り付けられる側を後側としている。図１，図３，図４には、前方に相当する方向を矢印Ｆで示してある。
【００１３】
収納棚１０は、棚部材１３と、棚枠部材１４とを備えている。棚枠部材１４は、左右の側壁部１５と、前壁部１６とを備えている。左右の側壁部１５と前壁部１６と扉１１の内壁面とで囲まれた空間が、収納物の収納空間とされる。
側壁部１５は、合成樹脂製又は金属製の板材からなり、中央部には左右方向に貫通する開口１８が形成されている。側壁部１５の上縁は前下がり傾斜状に形成されている。側壁部１５の内側面には、上縁から下方に延びる凹溝１９が形成されており、この凹溝１９には、収納棚１０内を前後に仕切る仕切りバー２０が着脱可能に取り付けられている。
【００１４】
側壁部１５の後端部には、収納棚１０を扉１１の内壁面に取り付けるための取付部２２が左右内方に向けて延設するように一体形成されている。取付部２２は、磁石、吸盤、ネジ、又は、これらの組み合わせによって扉１１の内壁面に取り付けられる。
前壁部１６は、左右の側壁部１５の前端縁上部に架設されている。前壁部１６は、金属製又は合成樹脂製の板材からなり、上下方向の寸法よりも左右方向の寸法が大きい帯形状に形成されている。前壁部１６の上下方向の寸法は側壁部１５の上下方向の寸法よりも小さく、前壁部１６の下側において、左右の側壁部１５の間が前方に開放されている。
【００１５】
左右の側壁部１５の下端部には、前後一対の連結バー２４Ｆ，２４Ｒが架設されている。左右の側壁部１５は、前壁部１６と連結バー２４Ｆ，２４Ｒとによって相互に連結されている。連結バー２４Ｆ，２４Ｒは、金属製又は合成樹脂製の中空又は中実の棒材であり、本実施の形態では、断面円形状の丸棒材が用いられている。この連結バー２４Ｆ，２４Ｒは、後述するように棚部材１３が取り付けられる被取付部（被係合部）として機能する。
【００１６】
棚部材１３は、合成樹脂製又は金属製であり、長方形の板形状に形成された第１の棚部２６と、長方形の板形状に形成された第２の棚部２７とを備えている。第１の棚部２６と、第２の棚部２７とは、短手方向の一端部同士（長辺同士）が連結され、Ｌ字形状をなすように直交している。
本実施の形態の棚部材１３は、第１の棚部２６を使用する第１の姿勢（図２（ａ）参照）と、第２の棚部２７を使用する第２の姿勢（図２（ｂ）参照）とに切換可能に棚枠部材１４に取り付けられる。なお、図２において、前壁部１６には、収納棚１０内を左右に仕切る仕切り板２８が左右方向にスライド可能に取り付けられている。
【００１７】
図３は、棚枠部材１４に第１の姿勢で棚部材１３を取り付けた場合の収納棚１０の縦断面図である。第１の棚部２６の短手方向（前後方向）の両端部の下面には、前後一対の係合部（棚取付部）２９，３０が設けられている。後係合部２９は、下方に開口した断面略Ｃ字状に形成され、後側の連結バー２４Ｒに対して上側から係合（嵌合）される。前係合部３０は、第１の棚部２６の前端縁から下方及び後方へ延びるように略Ｌ字形状に形成されている。前係合部３０と第１の棚部２６とによって後方へ開口した断面略コ字の溝が形成され、この溝内に前側の連結バー２４Ｆを収めるようにして、前係合部３０が当該連結バー２４Ｆ，２４Ｒに係合される。なお、前係合部２９及び後係合部３０は、棚部材１３の左右方向の全幅に亘って形成されているが、幅方向の複数箇所（例えば両端と中央等）に形成されていてもよい。
【００１８】
第１の棚部２６は、前後の連結バー２４Ｆ，２４Ｒ上で前後方向に沿うように横向き姿勢で配置され、第２の棚部２７は、第１の棚部２６の前端部から上方へ向けて延び、縦向き姿勢で配置されている。この第２の棚部２７は、前壁部１６の下側で、前壁部１６と略同じ前後位置に配置されている。したがって、棚部材１３を第１の姿勢とした場合、第１の棚部２６が実質的な棚として機能し、第２の棚部２７は、前壁部１６の下側開放部分を塞ぐ壁として機能している。
【００１９】
図４は、棚枠部材１４に第２の姿勢で棚部材１３を取り付けた場合の収納棚１０の縦断面図である。第１の棚部２６に形成された後係合部２９は、後側の連結バー２４Ｒに係合しているが、前係合部３０は、前側の連結バー２４Ｆに係合していない。そして、棚部材１３は、後側の連結バー２４Ｒにぶら下がった状態で連結されている。したがって、棚部材１３の第２の姿勢は、第１の姿勢から後側の連結バー２４Ｒを中心に下方へ略９０度回転した姿勢となっている。なお、棚部材１３を第１の姿勢から第２の姿勢に変更する場合、棚部材１３の前係合部２９及び後係合部３０を一旦連結バー２４Ｆ，２４Ｒから取り外し、棚部材１３の後係合部２９を後側の連結バー２４Ｒに連結する。
【００２０】
第１の棚部２６は、後側の連結バー２４Ｒから下方向へ向けて延び、縦向き姿勢で配置されている。また、第２の棚部２７は、第１の棚部２６の下端から前方向へ向けて延び、前後方向に沿うように横向き姿勢で配置されている。したがって、第２の姿勢では、第２の棚部２７が実質的な棚として機能する。第１の棚部２６は、棚枠部材１４の下方に所定間隔をあけて第２の棚部２７を配置した状態で連結バー２４Ｒに連結させるための連結部材として機能している。第２の姿勢における第２の棚部２７は、第１の姿勢における第１の棚部２６よりも低い位置に配置されている。
【００２１】
棚部材１３を第２の姿勢とした場合、前係合部３０が扉１１の内壁面に当接し、第２の棚部２７は、やや前上がり傾斜状に配置されるように姿勢が保持されている（水平方向に対する第２の棚部２７の傾斜角度をθで示す）。すなわち、第２の姿勢において、前係合部３０は第２の棚部２７の姿勢を前上がり傾斜状に設定する姿勢設定部として機能している。前係合部３０の後端には、後方へ突出（屈曲）して内壁面に当接する当接部３２が形成されている。
【００２２】
以上の構成において、棚部材１３を図３に示すように第１の姿勢とし、第１の棚部２６を使用した場合、背の低い収納物（例えば、調味料容器Ｙ１等）の出し入れを容易に行うことができる。しかし、この場合、食品包装用フィルムの箱のように背の高い収納物Ｙ２を収納すると、図５に示すように、当該収納物Ｙ２が扉１１よりも上方に突出し、引き出し９を閉めることができなくなる。
したがって、専ら背の高い収納物Ｙ２を収納する用途で収納棚１０を使用する場合には、図４に示すように棚部材１３を第２の姿勢とし、第２の棚部２７を使用する。これによって、引き出しの開閉を妨げることなく背の高い収納物Ｙ２を収納することが可能となる。
【００２３】
図３に示すように、棚部材１３を第１の姿勢とした場合、第２の棚部２７は前壁部１６の下側開放部分を塞ぐ壁として機能しているので、収納物Ｙ１の落下を防止することができる。
図４に示すように、棚部材１３を第２の姿勢とした場合、第２の棚部２７は前上がり傾斜状に配置されるので、第２の棚部２７によって支持された収納物Ｙ２は扉１１の内壁面に凭れるような姿勢となる。そのため、当該収納物Ｙ２が前側に倒れるのを防止することができ、引き出しに対する調理器具等の出し入れの際に当該収納物Ｙ２が邪魔になるのを防止することができる。
【００２４】
後係合部２９や後側の連結バー２４Ｒは、棚部材１３を第１の姿勢とした場合と第２の姿勢とした場合との双方で使用されるため、各姿勢用に個別の係合部や連結バーを設ける場合に比べて部品点数を少なくすることができ、製造コストを低減することができる。
【００２５】
本発明は、上記実施の形態に限定されることなく適宜設計変更可能である。
上記実施の形態では、棚枠部材１４に棚部材１３を連結するための被係合部（連結バー２４Ｆ，２４Ｒ）が左右の側壁部１５に亘る長さに形成されているが、当該被係合部は、左右側壁部１５から左右内方へ突出する突起状に形成されていてもよい（この場合４個の被係合部が設けられる）。また、被係合部を突起状とする場合、左右側壁部１５から左右外方へ突出するように形成することも可能である。この場合、第１の棚部２６の両端よりも左右方向外側に前係合部３０及び後係合部２９を形成すればよい。
【００２６】
第２の棚部２７は、第１の姿勢において第１の棚部２６の後端部から上方へ延びるように配置されていてもよい。この場合、棚部材１３を第２の姿勢とするには、前側の連結バー２４Ｆに対して前係合部３０のみを係合させることによって、前側の連結バー２４Ｆから下方に延びるように第１の棚部２６を配置し、この第１の棚部２６の下端から後方へ延びるように第２の棚部２７を配置すればよい。
【００２７】
収納棚１０の棚枠部材１４は、後壁部を備えていてもよい。収納棚１０の棚枠部材１４や棚部材１３の材質は特に限定されるものではなく適宜変更することができる。また、棚枠部材１４や棚部材１３は、板形状に形成するに限らず、例えば、針金等によってメッシュ状に形成することもできる。
上記実施の形態の収納棚１０は、引き出しの扉１１の内壁面に取り付けて使用されているが、これに限定されるものではなく、例えば、引き出しの扉１１の外壁面や他の厨房家具の扉（開き扉を含む）の内外壁面、冷蔵庫等の電化製品の外壁面、キッチンやリビング等の室内の壁面に取り付けて使用することも可能である。但し、本実施の形態の収納棚１０は、引き出しの内部や天井付近の壁面等、高さの制限がある場所に取り付けて使用する場合により有用である。
【図面の簡単な説明】
【００２８】
【図１】本発明の実施の形態に係る収納棚の分解斜視図である。
【図２】（ａ）は、棚枠部材に第１の姿勢で棚部材を取り付けた場合の収納棚の斜視図、（ｂ）は、棚枠部材に第２の姿勢で棚部材を取り付けた場合の収納棚の斜視図である。
【図３】図２（ａ）に示される収納棚の縦断面図である。
【図４】図２（ｂ）に示される収納棚の縦断面図である。
【図５】図２（ａ）に示される収納棚に背の高い収納物を収納した状態を示す側面図である。
【符号の説明】
【００２９】
１０  収納棚
１１  扉
１３  棚部材
１４  棚枠部材
２４Ｆ  前側の連結バー（被係合部）
２４Ｒ  後側の連結バー（被係合部）
２６  第１の棚部
２７  第２の棚部
２９  後係合部
３０  前係合部（姿勢設定部）
【図１】
0005074955.tif 000002
【図２】
0005074955.tif 000003
【図３】
0005074955.tif 000004
【図４】
0005074955.tif 000005
【図５】
0005074955.tif 000006